(57)【要約】【課題】本発明の課題は、高白色性を有し、印刷適性及びカール適性が良好で、さらには素材の有効活用（リフォーム性）に優れた写真用ミニアルバムを提供することである。【解決手段】基材とする上質紙の両面にポリオレフィン樹脂を被覆した表紙、あるいは両面ポリオレフィン樹脂被覆紙が画像材料用支持体で且つＩＳＯ−２４７０に準拠した白色度が８７％以上であることを特徴とする写真用ミニアルバム。【選択図】  なし【特許請求の範囲】
【請求項１】
基材とする上質紙の両面にポリオレフィン樹脂を被覆した表紙と該表紙を二つ折りした内側の本体に透明フイルムを貼り合わせたポケットを具備したことを特徴とする写真用ミニアルバム。
【請求項２】
該ポリオレフィン樹脂被覆紙が画像材料用支持体であり、且つＩＳＯ−２４７０に準拠した白色度が８７％以上であることを特徴とする請求項１記載の写真用ミニアルバム。
【発明の詳細な説明】
【技術分野】
【０００１】
本発明は、写真店などにおいて、プリント依頼のあった写真と共に顧客に無償あるいは非常に廉価で渡される写真用ミニアルバムに関するものである。
【背景技術】
【０００２】
この種のアルバムの表紙は、坪量が１００〜３００ｇ／ｍ2程度の厚紙を用いて、表側の表紙面にはデザインを施し、裏側の表紙面には写真店名など適宜印刷され、表側には意匠性及び強度をもたせるために片面の化粧貼り（フイルムのラミネートやニス加工）が施されるのが一般的である。また、これらは原価を極力抑えることからアートポストやコートアイボリー等の所謂高級紙は使われることはなく、ましてや本発明のごとく特に画像材料用支持体で白色度が８７％以上のような高級紙は未だ使われたことがないのが実情である。
さらに詳しくは、素材を有効活用（リフォーム＝形を変えて別の用途に活用する）して、写真用アルバムの表紙としてのカールバランス・印刷適性・美観（特に白色度）などの特性を満足する写真用ミニアルバムに関する。
【０００３】
写真用アルバムについては、以下のように数多くの技術が開示されている。
例えば、「表側表紙部と、裏側表紙部と、これら表側表紙部と裏側表紙部との間に綴じ込まれた複数の写真収容部とを備えた写真用アルバムにおいて、表側表紙部と裏側表紙部を、シート状の表紙本体と、この表紙本が収納可能な透明の袋状収納体とから構成すると共に、袋状収納体に、表紙本体の出し入れを行なうための出入口を設け、また写真収容部には、写真を収納可能な写真収容ポケットを設けた写真用アルバム」なる技術が開示されている（例えば、特許文献１参照）。しかしながら、同公報に開示の写真用アルバムの表紙については、単に、シート状の表紙と記載するのみで、その材質については全く開示されていない。
【０００４】
「基紙たる紙が全パルプ組成中に古紙を原料とする再生パルプを１０質量％以上含有し、かつ該再生パルプの白色度が７０以上であることを特徴とする写真用支持体」なる技術が開示されている（例えば、特許文献２参照）。しかし、同公報の技術は、写真用支持体として損紙（ブローク）がそのままリサイクルされているだけで、写真用支持体とは別の目的に有効活用（リフォーム性）する技術については開示されていない。
【０００５】
「写真アルバム表紙本体の表面１に、所定の版により印刷された装飾模様３と、個別に選択された写真像２とが並設されており、その写真像２は透明プラスチックフィルム層の内側（表紙本体側）にカラーコピーされたものが熱転写により融着していることを特徴とした写真用アルバムの表紙」について（例えば、特許文献３参照）、また、「アルバム１は、表側表紙４及び裏側表紙５から成る表紙部３と、写真を貼る台紙７が複数綴じられた台紙部６とを備えて構成される。アルバム１の表側表紙４の表面８には、心材となる基材９、１１に貼付された印画紙１２に、例えば挙式時の記念写真、赤ちゃんのメモリアル写真、愛犬などのペットを写した写真、フルムーン旅行で撮った記念写真等の個別的に撮影されたオリジナル写真２の画像がコンピュータの画像処理手段によってプリントされ、さらに印画紙１２のプリント面に汚れが付着するのを保護するため、印画紙１２の表面１２ａ全体に樹脂製フィルム１３が被膜されている。オリジナル写真２の画像は写真として印画紙１２にプリントされるため、オリジナルアルバムとして鮮明な画像がアルバム１の表紙に採り入れられ、アルバムを見る人に強い印象を奏することを特徴とする写真用アルバム」について開示されている（例えば、特許文献４参照）。これらはいずれもフィルムを貼着した表紙を持つアルバムであり、装飾性があるが高価であり簡便ではない。また、構成そのものが本発明とは異なる。
これらの公報においては、いずれも本発明のごとく表紙に関してその材質までは開示されておらず、まして表紙を両面ポリオレフィン樹脂で被覆する、さらには画像材料用支持体を用いたものは未だ見当たらない。
【特許文献１】特開２００２−５２８６号公報
【特許文献２】特開平６−１８７４４号公報
【特許文献３】登録実用新案３０３０６８２号公報
【特許文献４】特開２００３−４８３８１号公報
【発明の開示】
【発明が解決しようとする課題】
【０００６】
従来の写真用ミニアルバムにおいて、確かに化粧貼りは見た目や引き裂きなどには効果はあるが、コスト上からは片面のみの加工であることからカールバランスがとりにくく、さらにはこれらに用いるコートボールやコートカード紙等の白色度（ＩＳＯ−２４７０に準拠）は、８７％未満であるため印刷後の発色はどうしても沈んだ印象となる。
本発明の目的は、これらの課題を解決することである。
【課題を解決するための手段】
【０００７】
本発明は、基材とする上質紙の両面にポリオレフィン樹脂を被覆あるいは、画像材料用支持体を用い、さらにはＩＳＯ−２４７０に準拠した白色度が好ましくは８７％以上にすることでこれらを解決した。
【発明の効果】
【０００８】
基材とする上質紙の片面よりも両面にポリオレフィン樹脂を被覆した方がカール性は良好な写真用ミニアルバムを得ることができ、かつ白色度が８７％以上であれば、印刷適性も優れた写真用ミニアルバムを得ることができる。
また、環境問題より従来であれば、写真印画紙の支持体としてスペックアウトしたものは主に焼却処分されていたが、本発明によって素材の有効活用（リユース性）を図ることができ、環境にもやさしい写真用ミニアルバムを提供することが出来る。
【発明を実施するための最良の形態】
【０００９】
本発明の写真用ミニアルバムについて、以下詳細に説明する。
本発明で用いる両面ポリオレフィン樹脂被覆紙は、天然パルプまたは合成パルプを成分とする紙支持体にポリオレフィン樹脂を両面に被覆したものであれば特に制限なく使用できるが、本発明で用いるポリオレフィン樹脂被覆紙は、白色性の観点から画像材料用支持体として用いられる両面ポリオレフィン樹脂被覆紙を使用する。中でも、写真印画紙用支持体が好ましく、さらに環境負荷およびリサイクル性を考慮すれば写真印画紙用支持体製造の際に発生する損紙を使用することが望ましい。
【００１０】
画像材料用支持体は、用途上品質管理（特にゴミや異物）が他の紙媒体に比べ数倍厳しい。このため、本発明のごとく、写真用ミニアルバムの表紙であれば何ら問題にならないと考えられ、環境負荷およびリサイクル性の上からも写真印画紙用支持体の規格外の有効利用が熱望されている。また、銀塩タイプの写真業界のみならず、近年普及が著しいデジタルカメラの出力用紙としてのフォト用インクジェット紙や昇華型のフォト用受像紙においてもポリオレフィン樹脂被覆紙が使用されてきているため、ますますこれらの損紙の有効利用が渇望されてきている。
【００１１】
この様な画像材料用支持体である両面ポリオレフィン樹脂被覆紙は、パルプ成分を主体とする原紙とポリオレフィン樹脂よりなる。原紙は通常の天然パルプを成分とするものあるいは合成パルプや合成繊維等でもよい。これらの中では針葉樹材パルプ、広葉樹材パルプ、針葉樹広葉樹混合パルプの木材パルプを主成分とする天然パルプ紙が有効である。
本発明では、具体的には好ましい白色度を８７％以上にするために、通常の印刷用紙で用いるパルプよりも漂白を強化したものが好ましい。
【００１２】
これらの原紙中には各種の高分子化合物、添加剤を含有せしめることが出来る。例えば乾燥紙力増強材としてカチオン化殿粉、カチオン化ポリアクリルアミド、アニオン化ポリアクリルアド、カルボキシ変性ポリビニルアルコール、ゼラチンなど、サイズ剤として脂肪酸塩、ロジン誘導体、ジアルキルケテンダイマー乳化物、石油樹脂エマルジョンなど、顔料としてクレー、カオリン、炭酸カルシウム、硫酸バリウム、酸化チタンなど、湿潤紙力増強剤としてメラミン樹脂、尿素樹脂、エポキシ化ポリアミド樹脂など、定着剤として硫酸アルミニウム、塩化アルミニウムなどの多価金属塩、カチオン化殿粉などのカチオン変性ポリマーなど、ｐＨ調節剤として苛性ソーダ、炭酸ソーダ、塩酸など、無機電解質として食塩、ボウ硝など、そのほか染料、蛍光増白剤、ラテックス等を適宜組み合わせて含有せしめることが出来る。
これらの添加剤においても、白色度に悪影響がでないものが適宜選択されるが、中でも顔料としては炭酸カルシウムや酸化チタンを用いることが高白色度上好ましい。上述の原料により作成した坪量１００〜２００ｇ／ｍ2で密度が０．９〜１．２ｇ／ｃｍ3の紙基体が画像材料用支持体の原紙として好ましく用いられる。
【００１３】
この紙基体の両面を被覆するポリオレフィン樹脂とは、低密度ポリエチレン、高密度ポリエチレン、ポリプロピレン、ポリブテン、ポリペンテンなどのオレフィンのホモポリマーまたはエチレン−プロピレン共重合体などであり、ポリオレフィン樹脂中には、酸化チタン、酸化亜鉛などの白色顔料やステアリン酸亜鉛、ステアリン酸カルシウムなどの脂肪酸金属塩及び群青、紺青、フタロシアニンブルーなどの顔料や染料を含む。これらの添加剤においても、上記の原紙同様に白色度に悪影響がでないものが適宜選択され、中でも顔料としては酸化チタンを用いることが好ましく、紙基体を被覆する樹脂の塗工量は各々１０ｇ／ｍ2〜４０ｇ／ｍ2が好ましい。また、オレフィン樹脂の塗工方法としては、紙基体を被覆できれば、その手段は問わないが、溶融樹脂を押出機により塗工する方法が、生産性と仕上がりの美しさから好ましい。
【００１４】
本発明で用いるポリオレフィン樹脂被覆紙は裏面に目的に応じた裏塗層を設けることも可能である。具体的に本発明の課題であるカールを解決する手段としては、これらの塗工量のバランス要因が大きく、可能な限り表裏の差を少なくすることが好ましい。
また、表面では印刷適性を付与するため目的に応じた下引層を設けることが出来る。具体的には、ＰＶＡやゼラチンなどの水溶性バインダーとその硬膜剤を含む水性塗工した下引き層があるとより好ましい。
本来であれば、このようにして得られた画像材料用支持体は、次工程で感光材料やインクジェット吸収層が塗布され、各種画像材料用印画紙として商品化される。
【００１５】
具体的に、表紙に印刷する手段としては、オフセット印刷・スクリーン印刷及びグラビア印刷など公知の方法で行われるが、インクの裏移り（定着性）の点からは乾燥機が設置されている印刷機や紫外線硬化型のインクを用いることが望ましい。
このようにして得られた表紙は、上記の印刷手段を用いて意匠性が付与され、二つ折りされる。二つ折りされた表紙は、写真収容ポケットを挟み込み、ホッチキスまたは接着剤等で保持され、本発明の写真用ミニアルバムとなる。
本発明においては、両面ポリオレフィン樹脂被覆紙を表紙に用いることを特徴とするもので、写真を保持するポケットについては何ら制限するものではない。
【００１６】
以下、本発明を実施例により説明するが、本発明の趣旨を逸脱しない限り、実施例に何ら限定されるものではない。
【実施例１】
【００１７】
広葉樹材晒クラフトパルプ（ＬＢＫＰ）と針葉樹晒サルファイトパルプ（ＮＢＳＰ）の１：１混合物をカナディアンスタンダードフリーネスで３００ｍｌになるまで叩解し、パルプスラリーを作成した。これにサイズ剤としてアルキルケテンダイマー（ＤＨＣ社製「アコーペル１２」）を対パルプ０．５質量％、強度剤としてポリアクリルアミド（星光化学社製「スターガムＡ−１５」）を対パルプ１．０質量％、カチオン化殿粉（王子ナショナル社製「ケイトーＦ」）を対パルプ２．０質量％、ポリアミドエピクロロヒドリン（ＤＨＣ社製「エピノックスＰ−１３０１」）を対パルプ０．５質量％添加し、水で希釈後１％スラリーとした。このスラリーを長網抄紙機でおよそ坪量１７０ｇ／ｍ2になるように抄造しポリオレフィン樹脂被覆紙の原紙とした。抄造した原紙に密度０．９ｇ／ｃｍ3の低密度ポリエチレン１００質量％の樹脂に対して、１０質量％のアナターゼ型二酸化チタンを均一に分散したポリエチレン樹脂組成物を３２０℃で溶融し厚さがおよそ３０μになるように押出しコーティングした。またもう一方の面には、密度１．０ｇ／ｃｍ3の高密度ポリエチレン樹脂を同様に３２０℃で溶融し厚さがおよそ３０μになるよう押しだしコーティングして写真印画紙用支持体である両面のポリオレフィン樹脂被覆紙を準備した。得られたポリオレフィン樹脂被覆紙のＩＳＯ−２４７０に準拠した白色度を測定したところ、９７％であった。
この両面ポリオレフィン樹脂被覆紙に枚葉印刷機を用いてオフセット印刷を実施し、これを二つ折りして表紙とした。この表紙の内側の本体に透明フイルムを貼り合わせたポケットを具備し写真用ミニアルバムを得た。
【実施例２】
【００１８】
実施例１において、白色度９０％程度になるようにパルプ材を選定し、写真印画紙用支持体である両面ポリオレフィン樹脂被覆紙を得た。
得られた両面ポリオレフィン樹脂被覆紙に同様にオフセット印刷を実施し、写真用ミニアルバムを得た。
【実施例３】
【００１９】
実施例１において、白色度８７％程度になるようにパルプ材を選定し、写真印画紙用支持体である両面ポリオレフィン樹脂被覆紙を得た。
得られた両面ポリオレフィン樹脂被覆紙に同様にオフセット印刷を実施し、写真用ミニアルバムを得た。
【００２０】
（比較例１）
実施例１において、片面のみポリオレフィン樹脂を被覆した。
得られた片面ポリオレフィン樹脂被覆紙に同様にオフセット印刷を実施し、写真用ミニアルバムを得た。
【００２１】
（比較例２）
実施例１において、三菱製紙（株）製の両面コートカード商品名「ジョイパール１８７ｇ／ｍ2」を用いオフセット印刷後、片面にラミネートを施し、同様に写真用ミニアルバムを得た。この時の白色度は、８５％であった。
【００２２】
＜評価方法＞
実施例および比較例で得られたものについては、白色度はＩＳＯ−２４７０に準拠し測定した。印刷適性については、主に印刷の発色性と冴えを肉眼で評価したが、比較例２についてはラミネートをした後に評価した。カールについては、肉眼で評価した。
上記の項目について、総合的に評価し○以上を合格とした。結果を表１に示す。
【００２３】
【表１】
2005081708.tif 000002
【００２４】
表１の結果から、本発明の写真用ミニアルバムは、片面よりも両面にポリオレフィン樹脂を被覆した方がカール性は良好な写真用ミニアルバムを得ることができる。かつ白色度が８７％以上であれば、印刷適性も優れていることが判明した。
また、環境問題より従来であれば、写真印画紙の支持体としてスペックアウトしたものは主に焼却処分されていたが、本発明によって素材の有効活用（リユース性）を図ることができ、環境にもやさしい写真用ミニアルバムを提供することが出来る。
【産業上の利用可能性】
【００２５】
本発明により、意匠性があって、しかも廉価な写真用ミニアルバムを実現することにより、ミニラボなどにおけるユーザーへのサービスに有用に提供することができ、環境に対しても負荷の軽減に利用できる。